(57)【要約】【課題】省スペースと運転操作の簡略化を図ることができる排水分別方法を提供すること。【解決手段】測定に所定時間を要するＴＯＣ濃度計（センサ）Ｓ２によって測定されるＴＯＣ濃度（水質指標）に基づいてリンス排水を分別する排水分別方法として、前記ＴＯＣ濃度計Ｓ２にてリンス排水のＴＯＣ濃度を測定している間にリンス排水を１つの水槽Ａに貯留し、ＴＯＣ濃度計Ｓ２によってリンス排水のＴＯＣ濃度が測定されると、前記水槽Ａから排出される排水をそのＴＯＣ濃度に基づいて分別する。又、ＴＯＣ濃度計Ｓ２によるリンス排水のＴＯＣ濃度が測定された時点で水槽Ａから測定対象のリンス排水が排出されない場合は、水槽Ａから測定対象のリンス排水が排出されるまでの時間だけ分別を遅らせる。更に、リンス排水の送水が停止した場合には、補給槽（配管）Ｂ中に蓄えられたリンス排水をＴＯＣ濃度計Ｓ２に補給する。【選択図】図１
2005279378.tif 000002
【特許請求の範囲】
【請求項１】
測定に所定時間を要するセンサによって測定される水質指標に基づいて排水を分別する排水分別方法であって、
前記センサにて排水の水質指標を測定している間に排水を１つの水槽に貯留し、センサによって排水の水質指標が測定されると、前記水槽から排出される排水をその水質指標に基づいて分別することを特徴とする排水分別方法。
【請求項２】
前記センサによる排水の水質指標が測定された時点で前記水槽から測定対象の排水が排出されない場合は、水槽から測定対象の排水が排出されるまでの時間だけ分別を遅らせることを特徴とする請求項１記載の排水分別方法。
【請求項３】
排水の送水が停止した場合には、配管中に蓄えられた排水を前記センサに補給することを特徴とする請求項１又は２記載の排水分別方法。
【請求項４】
前記水質指標は、ＴＯＣ濃度であることを特徴とする請求項１〜３の何れかに記載の排水分別方法。
【請求項５】
測定に所定時間を要するセンサによって測定される水質指標に基づいて排水を分別する排水分別装置であって、
１つの水槽と、該水槽に排水を受け入れる受入ラインに設けられたセンサと、前記水槽から導出する排出ラインに接続された回収ライン及び排水ラインと、これらの回収ラインと排水ラインにそれぞれ設けられた自動弁と、前記センサによって測定された水質指標に基づいて前記自動弁の開閉を制御する制御手段と、を含んで構成されることを特徴とする排水分別装置。
【請求項６】
前記水槽の容積Ｖを、（排水の最大流量Ｑmax ×センサの測定時間Ｔ）に設定するとともに、最大流量Ｑmax よりも少ない流量の排水を分別する場合には前記自動弁の開閉制御を遅らせるタイマーを設けたことを特徴とする請求項５記載の排水分別装置。
【請求項７】
前記受入ラインから分岐して前記センサに連なる測定ラインに自動弁を設け、受入ラインから分岐する補給ラインを前記測定ラインに接続するとともに、該補給ラインに自動弁と補給槽を設けたことを特徴とする請求項５又は６記載の排水分別装置。
【請求項８】
前記センサは、ＴＯＣ濃度計であることを特徴とする請求項５〜７の何れかに記載の排水分別装置。
【発明の詳細な説明】
【技術分野】
【０００１】
本発明は、測定に所定時間を要するセンサによって測定される水質指標に基づいて排水を分別する排水分別方法及び装置に関する。
【背景技術】
【０００２】
例えば、半導体製造分野においては、シリコン等の単結晶インゴットからスライスされたウエーハは、研磨された後に洗浄されるが、洗浄に供された洗浄水は、排水としてその水質に応じて分別回収されている。
【０００３】
例えば、特許文献１には、ウエーハ洗浄装置における排水分別回収装置として、洗浄処理槽から導出する共通排水ラインから複数の排水ラインを分岐させるとともに、各排水ラインに自動弁を設け、水質センサによって検出された排水の水質に応じて前記自動弁を開閉制御することによって、排水をその水質に応じて分別回収する構成が開示されている。
【０００４】
【特許文献１】特許第３３３６９５２号公報
【発明の開示】
【発明が解決しようとする課題】
【０００５】
しかしながら、上記排水分別回収装置は、排水の分別の判定基準として用いられる水質指標が水質センサによって瞬時に検出され得るものであることを前提として成立するものであり、水質指標が例えばＴＯＣ（全有機炭素）濃度等のように計測に所定の時間を要するものである場合には、測定のタイムラグのために排水の貯留が必要になる。
【０００６】
ところで、排水は通常連続して排出されるため、排水を貯留するための水槽を有効に利用して分別精度を高めるためには、少なくとも３つの水槽が必要となり、その設置場所として大きなスペースを要するとともに、ラインを切り替えるための多数の自動弁が必要となり、運転操作が複雑となるという問題がある。
【０００７】
本発明は上記問題に鑑みてなされたもので、その目的とする処は、省スペースと運転操作の簡略化を図ることができる排水分別方法及び装置を提供することにある。
【課題を解決するための手段】
【０００８】
上記目的を達成するため、請求項１記載の発明は、測定に所定時間を要するセンサによって測定される水質指標に基づいて排水を分別する排水分別方法として、前記センサにて排水の水質指標を測定している間に排水を１つの水槽に貯留し、センサによって排水の水質指標が測定されると、前記水槽から排出される排水をその水質指標に基づいて分別することを特徴とする。
【０００９】
請求項２記載の発明は、請求項１記載の発明において、前記センサによる排水の水質指標が測定された時点で前記水槽から測定対象の排水が排出されない場合は、水槽から測定対象の排水が排出されるまでの時間だけ分別を遅らせることを特徴とする。
【００１０】
請求項３記載の発明は、請求項１又は２記載の発明において、排水の送水が停止した場合には、配管中に蓄えられた排水を前記センサに補給することを特徴とする。
【００１１】
請求項４記載の発明は、請求項１〜３の何れかに記載の発明において、前記水質指標は、ＴＯＣ濃度であることを特徴とする。
【００１２】
請求項５記載の発明は、測定に所定時間を要するセンサによって測定される水質指標に基づいて排水を分別する排水分別装置を、１つの水槽と、該水槽に排水を受け入れる受入ラインに設けられたセンサと、前記水槽から導出する排出ラインに接続された回収ライン及び排水ラインと、これらの回収ラインと排水ラインにそれぞれ設けられた自動弁と、前記センサによって測定された水質指標に基づいて前記自動弁の開閉を制御する制御手段と、を含んで構成したことを特徴とする。
【００１３】
請求項６記載の発明は、請求項５記載の発明において、前記水槽の容積Ｖを、（排水の最大流量Ｑmax ×センサの測定時間Ｔ）に設定するとともに、最大流量Ｑmax よりも少ない流量の排水を分別する場合には前記自動弁の開閉制御を遅らせるタイマーを設けたことを特徴とする。
【００１４】
請求項７記載の発明は、請求項１記載の発明において、前記受入ラインから分岐して前記センサに連なる測定ラインに自動弁を設け、受入ラインから分岐する補給ラインを前記測定ラインに接続するとともに、該補給ラインに自動弁と補給槽を設けたことを特徴とする。
【００１５】
請求項８記載の発明は、請求項１記載の発明において、前記センサは、ＴＯＣ濃度計であることを特徴とする。
【発明の効果】
【００１６】
請求項１又は５記載の発明によれば、測定に所定時間を要するセンサによって排水の水質指標を測定している間に排水を１つの水槽に貯留し、センサによって排水の水質指標が測定されると、水槽から排出される排水をその水質指標に基づいて分別するようにしたため、排水分別装置の構成が簡素化してその設置スペースが小さくて済むとともに、ラインを切り替えるための自動弁の数を削減して運転操作を簡略化することができる。
【００１７】
請求項２又は６記載の発明によれば、センサによる測定がなされた時点で水槽に測定対象の排水が満たされないために測定対象の排水が水槽から排出されないときには、測定対象の排水が水槽から排出されるまで分別のタイミングをタイマーによって遅らせるようにしたため、センサによって測定された排水の水質指標に基づいて排水を高精度に分別することができる。
【００１８】
請求項３又は７記載の発明によれば、測定対象である排水の供給が遮断されると再起動に時間が掛かるセンサであっても、排水の送水が停止した場合には、配管中に蓄えられた排水がセンサに補給されるため、センサは引き続き作動することができ、装置の再起動が速やかに行われる。
【００１９】
請求項４又は８記載の発明によれば、測定に所定の時間（例えば６分）を要するＴＯＣ濃度計によって測定されるＴＯＣ濃度に基づいて排水を分別することができる。
【発明を実施するための最良の形態】
【００２０】
以下に本発明の実施形態を添付図面に基づいて説明する。
【００２１】
図１は本発明に係る排水分別装置のシステム構成図である。
【００２２】
図１に示す排水分別装置は、半導体ウエーハの洗浄（リンス洗浄）に供されたリンス排水を分別する装置であって、分別の判定基準としての水質指標として、測定に所定の時間（例えば６分）を要するＴＯＣ（全有機炭素）濃度と瞬時に測定が可能な導電率を用いるものである。
【００２３】
本実施の形態に係る排水分別装置は、密閉容器としての１つの水槽Ａを備えており、この水槽Ａには受入ラインＬ１が接続されるとともに、水槽Ａからは排出ラインＬ２が導出している。
【００２４】
上記受入ラインＬ１は、不図示のウエーハ洗浄装置から排出されるリンス排水を水槽Ａに導入するためのラインであって、これにはフローセンサ（ＦＳ）Ｓ１が設けられるとともに、その途中からは補給ラインＬ３と測定ラインＬ４がそれぞれ分岐している。そして、測定ラインＬ４には自動弁Ｖ１とＴＯＣ濃度計Ｓ２が設けられており、補給ラインＬ３は測定ラインＬ３に接続されており、その途中には補給槽Ｂと自動弁Ｖ２が設けられている。
【００２５】
又、補給ラインＬ３の前記補給槽Ｂと前記自動弁Ｖ２の間からは排水ラインＬ５が分岐して鉛直下方に延びており、該排水ラインＬ５には自動弁Ｖ３が設けられている。そして、排水ラインＬ５の下方には排水受けＣが設けられている。尚、本実施の形態では、補給槽Ｂは、内部に貯留されるリンス排水の外部からの視認が可能なように透明な塩化ビニルパイプで構成されており、その容積は、ＴＯＣ濃度計Ｓ２にリンス排水を３０分程度供給し得る値に設定されている。
【００２６】
他方、前記排出ラインＬ２には、導電率計（ＣＩＡ）Ｓ３が設けられるとともに、不図示の回収設備に連なる回収ラインＬ６と不図示の排水設備に連なる排水ラインＬ７が接続されており、これらの回収ラインＬ６と排水ラインＬ７には自動弁Ｖ４，Ｖ５がそれぞれ設けられている。
【００２７】
尚、前記フローセンサＳ１、ＴＯＣ濃度計Ｓ２、導電率計Ｓ３及び自動弁Ｖ１〜Ｖ５は、制御手段としての不図示のコントローラに電気的に接続されており、コントローラは、フローセンサＳ１とＴＯＣ濃度計Ｓ２及び導電率計Ｓ３からの各入力信号に基づいて自動弁Ｖ１〜Ｖ５の開閉をそれぞれ制御する。
【００２８】
次に、以上の構成を有する排水分別装置を用いて実施される本発明に係る排水分別方法について説明する。
【００２９】
本発明に係る排水分別方法は、ＴＯＣ濃度計Ｓ２にてリンス排水のＴＯＣ濃度を測定している間にリンス排水を水槽Ａに貯留し、ＴＯＣ濃度計Ｓ２によってリンス排水のＴＯＣ濃度が測定されるとともに、瞬時の測定が可能な導電率計Ｓ３によってリンス排水の導電率が測定されると、水槽Ａから排出されるリンス排水をそのＴＯＣ濃度と電導率に基づいて分別することを特徴とする。
【００３０】
即ち、装置の通常作動時には、自動弁Ｖ１が開けられ、自動弁Ｖ２，Ｖ３が閉じられ、不図示のウエーハ洗浄装置から排出されるリンス排水は、不図示の送水ポンプによって受入ラインＬ１を経て水槽Ａに圧送されて貯留され、水槽Ａに導入された量と同量のリンス排水が水槽Ａから排出ラインＬ２へと押し出される。これと同時に、リンス排水の一部は、測定ラインＬ４からＴＯＣ濃度計Ｓ２へと流れてそのＴＯＣ濃度が測定されるとともに、補給ラインＬ３から補給槽Ｂへと流れて該補給槽Ｂに貯留される。
【００３１】
上述のように、リンス排水が水槽Ａに圧送されて貯留されると、水槽Ａからはリンス排水が定常的に押し出されるが、このリンス排水は、ＴＯＣ濃度計Ｓ２によって測定された前回のＴＯＣ濃度と導電率計Ｓ３によって測定された導電率に基づいて開閉が制御される自動弁Ｖ４，Ｖ５によって分別され、自動弁Ｖ４が開けられると回収ラインＬ６を経て不図示の回収設備へと回収され、自動弁Ｖ５が開けられると排水ラインＬ７を経て不図示の排水設備へと排出される。
【００３２】
ところで、ＴＯＣ濃度計Ｓ２によるリンス排水のＴＯＣ濃度の測定には所定時間Ｔ（例えば６分）を要するため、水槽Ａにはその時間Ｔの間に流れるリンス排水を貯留しておく必要がある。このため、本実施の形態では、水槽Ａの容積Ｖを、
Ｖ＝（リンス排水の最大流量Ｑmax ）×（ＴＯＣ濃度計の測定時間Ｔ）
に設定している。
【００３３】
水槽Ａの容積Ｖを上式のように設定すると、リンス排水が最大流量Ｑmax で流れているとき、ＴＯＣ濃度計Ｓ２によってＴＯＣ濃度を測定している時間Ｔの間に水槽Ａに貯留されたＶの量のリンス排水がそのときのＴＯＣ濃度測定値に基づいて分別される。つまり、ＴＯＣ濃度計Ｓ２によるＴＯＣ濃度の測定が終了したタイミングで、測定時間Ｔの間に水槽Ａに貯留されたリンス排水（測定対象のリンス排水）が水槽Ａから排出ラインＬ２へと流れ出して分別に供される。
【００３４】
而して、リンス排水の分別は具体的に次のようになされる。
【００３５】
即ち、ＴＯＣ濃度計Ｓ２によって測定されたリンス排水のＴＯＣ濃度と導電率計Ｓ３によって測定されたリンス排水の導電率が共に設定値を超えている場合、或は何れか一方が設定値を超えている場合には、コントローラによって自動弁Ｖ５が開けられ、水槽Ａから排出ラインＬ２へと押し出されたリンス排水は、排水ラインＬ７を経て不図示の排水設備へと排出される。
【００３６】
又、ＴＯＣ濃度と導電率が共に設定値以下である場合には、コントローラによって自動弁Ｖ４が開けられ、水槽Ａから排出ラインＬ２へと押し出されたリンス排水は、回収ラインＬ６を経て不図示の回収設備へと回収される。
【００３７】
ところで、リンス排水が最大流量Ｑmax よりも小さい流量で流れている場合には、ＴＯＣ濃度計Ｓ２によるＴＯＣ濃度の測定が終了した時点では、その間（測定時間Ｔの間）に水槽Ａに貯留されたリンス排水は水槽Ａから排出ラインＬ２へと未だ押し出されず、水槽Ａに依然として貯留され続けている。従って、このような場合には、測定対象のリンス排水（ＴＯＣ濃度計Ｓ２による測定が開始してから水槽Ａに貯留され始めたリンス排水）が水槽Ａを満たして該水槽Ａから排出されるまで（ＴＯＣ濃度計Ｓ２による測定が終了してからリンス排水が排出されるまで）、そのとき測定されたＴＯＣ濃度に基づくリンス排水の分別（自動弁Ｖ４，Ｖ５の開閉制御）を遅延させる。この遅延は、不図示のタイマーの手動による設定によって行われる。
【００３８】
上述のようにすることによって、そのとき測定されたＴＯＣ濃度に基づいてリンス排水を高精度に分別することができる。因に、このような遅延操作を行わない場合は、前回に測定された不正確なＴＯＣ濃度に基づいてリンス排水の分別がなされてしまう。
【００３９】
ところで、フローセンサＳ１によってリンス排水の送水停止が検知されると、コントローラは、自動弁Ｖ１，Ｖ３を閉じ、自動弁Ｖ２を開いて補給槽Ｂに貯留されていたリンス排水を補給ラインＬ３及び測定ラインＬ４を経てＴＯＣ濃度計Ｓ２へと補給するとともに、自動弁Ｖ４，Ｖ５を停止前の状態に保持する。尚、リンス排水の送水停止をポンプの停止信号によって検知するようにしても良い。
【００４０】
ここで、ＴＯＣ濃度計Ｓ２は、測定対象であるリンス排水の供給が遮断されると再起動に時間が掛かるセンサであるが、前述のようにリンス排水の送水が停止されると、補給槽ＢからＴＯＣ濃度計Ｓ２にリンス排水を補給することによって該ＴＯＣ濃度計Ｓ２は引き続き作動することができるため、装置の再起動を速やかに行うことができる。尚、自動弁Ｖ３は適当なタイミングで間欠的に開閉され、補給槽Ｂ内のリンス排水が排水ラインＬ５から排水受けＣへと排出されて新しいリンス排水が補給槽Ｂに貯留される、これによって補給槽Ｂ内のリンス排水が定期的に新しいものに交換される。
【００４１】
而して、装置が再起動されると、ＴＯＣ濃度計Ｓ２による２回目の測定がなされるまでは自動弁Ｖ５が開状態に保持されてリンス排水は排水ラインＬ７から排水設備へと排出され、ＴＯＣ濃度に基づく分別（自動弁Ｖ４，Ｖ５の開閉制御）はＴＯＣ濃度の２回目の測定以降になされる。これは、装置を再起動した直後に測定されたＴＯＣ濃度は信頼性に乏しく、正確さを欠くためであり、安全のためにリンス排水を排水設備へと排出するようにしている。
【００４２】
以上のように、本実施の形態によれば、排水分別装置には１つの水槽Ａが設けられるだけであるため、該排水分別装置の構成が簡素化してその設置スペースが小さくて済み、省スペース及びコストダウンを実現することができる。又、ラインを切り替えるために５個の自動弁Ｖ１〜Ｖ５を設けるだけで済むため、これらの操作が単純化されて装置の運転操作が簡略化される。
【００４３】
尚、本実施の形態では、リンス排水を分別する判定基準としての水質指標としてＴＯＣ濃度と導電率を用いたが、他の水質指標を用いて分別を行うようにしても良いことは勿論である。
【産業上の利用可能性】
【００４４】
本発明は、ウエーハの洗浄に供されたリンス排水の分別のみならず、他の任意の排水の分別に対しても適用可能である。
【図面の簡単な説明】
【００４５】
【図１】本発明に係る排水分別装置のシステム構成図である。
【符号の説明】
【００４６】
Ａ          水槽
Ｂ          補給槽
Ｃ          排水受け
Ｌ１        受入ライン
Ｌ２        排出ライン
Ｌ３        補給ライン
Ｌ４        測定ライン
Ｌ５        排水ライン
Ｌ６        回収ライン
Ｌ７        排水ライン
Ｓ１        フローセンサ（ＦＳ）
Ｓ２        ＴＯＣ濃度計（センサ）
Ｓ３        導電率計（ＣＩＡ）
Ｖ１〜Ｖ５  自動弁
【図１】
2005279378.tif 000003